(57)【要約】【課題】貯留されている球を、払出部材を駆動させることなく、手動で容易に抜くことができる球払出装置及びパチンコ遊技機を提供する。【解決手段】所定数の球を払い出すための払出部材であるロータ６３と、ロータ６３を収納する本体１０と、ロータ６３を電気的に駆動する駆動手段であるステッピングモータ６０とを備えた球払出装置１において、球排出口１７、１８をロータ６３の近傍に設け、球排出口１７、１８を開閉する開閉部材２０を設け、開閉部材２０を手動で操作することにより球排出口１７、１８が開放されて、内部に貯留されている球が球排出口１７、１８を通って排出されるように構成する。【選択図】  図２
2004147680.tif 000002
【特許請求の範囲】
【請求項１】
所定数の球を払い出すための払出部材と、前記払出部材を収納する本体と、前記払出部材を電気的に駆動する駆動手段とを備えた球払出装置において、
球排出口が前記払出部材の近傍に設けられ、前記球排出口を開閉する開閉部材が設けられ、前記開閉部材を手動で操作することにより前記球排出口が開放されて、内部に貯留されている球が前記球排出口を通って排出されるように構成されたことを特徴とする球払出装置。
【請求項２】
前記払出部材に球を供給する供給通路と、前記払出部材から払い出された球を誘導する誘導通路とが設けられ、
前記供給通路と前記誘導通路との間に設けられた収納部に、前記払出部材が収納され、
前記収納部の側方に、前記球排出口が設けられたことを特徴とする請求項１記載の球払出装置。
【請求項３】
前記開閉部材が、前記本体に押入されることにより前記球排出口を閉鎖し、前記本体から引き出されることにより前記球排出口を開放するように構成されたことを特徴とする請求項１または２記載の球払出装置。
【請求項４】
前記球排出口を閉鎖する位置に前記開閉部材を保持する第１の係止部と、前記球排出口を開放する位置で前記開閉部材が前記本体から脱落することを防止する第２の係止部とが、前記開閉部材に設けられたことを特徴とする請求項３記載の球払出装置。
【請求項５】
請求項１、２、３、または、４記載の球払出装置を備え、前記開閉部材を手動で操作することにより前記球排出口が開放されて、前記球払出装置内部及び前記球払出装置の上流側に貯留されている球が前記球排出口を通って排出されるように構成されたことを特徴とする遊技機。
【発明の詳細な説明】
【０００１】
【発明の属する技術分野】
本発明は、パチンコ遊技機等に設けられる球払出装置及び球払出装置を備えた遊技機に関し、特に球抜きが容易な球払出装置及び遊技機に関する。
【０００２】
【従来の技術】
従来から、パチンコ遊技機の遊技盤の裏側には、機構板が設けられ、機構板には、球を貯留する貯留タンク、球払出装置、貯留タンクから球払出装置に球を誘導する誘導レール等が設けられている。球払出装置は、所定数の賞球や貸し球を遊技機の前面側に設けられた球受け皿へ払い出すための装置であり、内部に電気的に駆動される爪車、スプロケット等の払出部材が設けられている（例えば、特許文献１及び特許文献３参照。）。
【０００３】
ところで、現状、工場での出荷検査終了後や、ホールの営業中に賞球や貸し球の払出しにトラブルが発生した場合、ホールの営業時間終了後等に、機構板に貯留されている球を抜き取る作業が行われている。
【０００４】
この球抜き作業を行うため、従来、球払出装置の上流側に球抜き装置を設けたパチンコ遊技機があった（例えば、特許文献２及び特許文献３参照。）かかるパチンコ遊技機においては、球抜き装置を操作して球の流下通路を変更することにより、球抜き装置より上流側の球を機外へ排出し、さらに、球抜き装置から球払出装置までに貯留されている残りの球は、球払出装置を手動で駆動させ、あるいは、電気を導通して駆動させることにより、機外へ排出させていた。
【０００５】
また、球払出装置の下流側の払出通路途中に球抜き装置を設けたパチンコ遊技機もあった（例えば、特許文献１参照）。かかるパチンコ遊技機においては、球抜き装置を操作して球の流下通路を変更しておき、球払出装置を手動で駆動させ、あるいは、電気を導通して駆動させることにより、機構板に貯留されている球を機外へ排出させていた。
【０００６】
【特許文献１】
特開２０００−１０７４０２公報
【特許文献２】
特開２００２−１３６７３５公報
【特許文献３】
特開２００２−２００２８９公報
【０００７】
【発明が解決しようとする課題】
しかし、多数の遊技機の出荷検査を行う工場や、多数の遊技機が設置されているホールにおいては、球払出装置を手動で駆動させて球を抜く方法は、非常に煩雑であるという問題があった。また、電気を導通して球払出装置を駆動させて球を抜く方法は、制御する電気回路が必要となるため、故障の原因となったりコストの増加を招いたりするという問題があり、さらに、電気エネルギーを使用しなければならないため、省エネルギーの観点からも問題があった。
【０００８】
この発明は、上述した問題を解決するものであり、貯留されている球を、払出部材を駆動させることなく、手動で容易に抜くことができる球払出装置及び遊技機を提供することを目的とする。
【０００９】
【課題を解決するための手段】
本発明の球払出装置は、所定数の球を払い出すための払出部材と、前記払出部材を収納する本体と、前記払出部材を電気的に駆動する駆動手段とを備えた球払出装置において、球排出口が前記払出部材の近傍に設けられ、前記球排出口を開閉する開閉部材が設けられ、前記開閉部材を手動で操作することにより前記球排出口が開放されて、内部に貯留されている球が前記球排出口を通って排出されるように構成されたことを特徴とする。
【００１０】
これによれば、払出部材を駆動させることなく、手動で球排出口を開放するだけで球を排出できるので、球抜き作業が容易となり、また、電気エネルギーを必要としないので、省エネルギー化に貢献できる。
【００１１】
また、好ましくは、前記払出部材に球を供給する供給通路と、前記払出部材から払い出された球を誘導する誘導通路とが設けられ、前記供給通路と前記誘導通路との間に設けられた収納部に、前記払出部材が収納され、前記収納部の側方に、前記球排出口が設けられたことを特徴とする。
【００１２】
また、好ましくは、前記開閉部材が、前記本体に押入されることにより前記球排出口を閉鎖し、前記本体から引き出されることにより前記球排出口を開放するように構成されたことを特徴とする。
【００１３】
これによれば、開閉部材を引き出すだけで球排出口を開放できるので、ワンタッチ操作で球の排出が可能であり、球抜き作業が非常に容易となる。
【００１４】
さらに、好ましくは、前記球排出口を閉鎖する位置に前記開閉部材を保持する第１の係止部と、前記球排出口を開放する位置で前記開閉部材が前記本体から脱落することを防止する第２の係止部とが、前記開閉部材に設けられたことを特徴とする。
【００１５】
これによれば、球排出口の閉鎖状態を保持することができ、また、球排出口の開放時に開閉部材が本体から脱落することを防止することができる。
【００１６】
本発明の遊技機は、本発明の球払出装置を備え、前記開閉部材を手動で操作することにより前記球排出口が開放されて、前記球払出装置内部及び前記球払出装置の上流側に貯留されている球が前記球排出口を通って排出されるように構成されたことを特徴とする。
【００１７】
これによれば、払出部材を駆動させることなく、手動で球排出口を開放するだけで、球払出装置内部及びその上流側の球を排出できるので、球抜き作業が容易となり、また、電気エネルギーを必要としないので、省エネルギー化に貢献できる。
【００１８】
【発明の実施の形態】
以下、本発明の一実施形態を図面に基づいて説明する。
【００１９】
図１はパチンコ遊技機Ｐの背面図である。なお、図１においては、遊技盤、配線等、説明に不要な部分は省略されている。図１に示すパチンコ遊技機Ｐでは、機構板２の上部に、球を貯留する貯留タンク３が取り付けられ、貯留タンク３から供給される球を球払出装置１に誘導する誘導レール４が、貯留タンク３の下方に取り付けられ、誘導レール４の下方には、球払出装置１が取り付けられて、球払出装置１は、遊技盤を配置するため機構板２の中央に設けられた開口部９の側方に配置されている。
【００２０】
また、球払出装置１の下方には、下部通路部材５が取り付けられ、下部通路部材５の下方には、溢れ球通路ユニット７が取り付けられている。なお、下部通路部材５の下部及び溢れ球通路ユニット７の上部の背面側には、球払出装置１の球払出を制御する制御基板が収納された払出制御ボックス６が取り付けられている。さらに、払出制御ボックス６の側方には、電源基板が収納された電源基板ケース８が取り付けられている。
【００２１】
図２は球払出装置１の斜視図であり、図３は球払出装置１の分解斜視図である。なお、図３では、スイッチ類等、説明に不要な部分は省略されている。図２及び図３に示すように、球払出装置１は、本体１０と開閉部材２０とから構成され、本体１０は、本体ケース後部３０、本体ケース前部４０、中板５０、ステッピングモータ６０、シャフト６１、球止め部材６２、ロータ６３、誘導通路部材７０、底板８０、及び、球の通過を検出する各種のスイッチ（図示せず）を備えている。本体ケース後部３０、本体ケース前部４０、中板５０、球止め部材６２、ロータ６３、誘導通路部材７０、及び、底板８０は合成樹脂製である。ロータ６３は、賞球あるいは貸し球として所定数の球を払い出すための払出部材に該当し、ステッピングモータ６０は、ロータ６３を電気的に駆動するための駆動手段となるものである。ロータ６３には、球を１個ずつ受け入れ可能な凹部６３ａが、周縁部に複数設けられており、平面視において孔６３ｃを中心として各凹部６３ａと対称な位置には、それぞれ凸部６３ｂが設けられている。
【００２２】
本体ケース後部３０と本体ケース前部４０とは、中板５０を間に挟んで組み合わされ、これにより、本体１０内部には、球が通過する２つの供給通路１２、１３が形成され、供給通路１２、１３の上端は、図２に示すように、本体１０の上面に開口することとなる。なお、球払出装置１が機構板２に取り付けられたときに、これら供給通路１２、１３の上端開口部は、誘導レール４の下流側端部に設けられた２つの開口部にそれぞれ連接される。
【００２３】
また、図４及び図１０に示すように、ステッピングモータ６０、球止め部材６２、及び、ロータ６３は、ステッピングモータ６０の下側に突出しているモータシャフト（図示せず）をシャフト６１に挿着し、そのシャフト６１を球止め部材６２の中央に設けられた孔６２ｃ、及び、ロータ６３の中央に設けられた孔６３ｃに挿通させることにより組み合わされ、本体１０内部の下部（中板５０の下方に当たる部位）に配置される。そして、ロータ６３は、本体１０内部に設けられた収納部１６に収納され、供給通路１２、１３の下端は、収納部１６に連通される。収納部１６の側方には、収納部１６と本体ケース後部３０、本体ケース前部４０との間に空間が設けられており、この空間が球排出通路１４、１５の上部１４ａ、１５ａをなすこととなる。すなわち、球排出通路１４、１５の上部１４ａ、１５ａは収納部１６の側方に形成されて、収納部１６の側方に開口し、この開口部が球排出口１７、１８をなすこととなる（図１０、図１１参照）。
【００２４】
ロータ６３の下方には、誘導通路部材７０が配置され、ロータ６３から下方に突出したシャフト６１の下端部は、誘導通路部材７０の中央に設けられた孔７１（図３参照）に挿入される。誘導通路部材７０には、誘導通路７２、７３、７４、７５が形成されており（図３参照）、誘導通路７２、７３、７４、７５の上端は、収納部１６に開口することとなる。そして、平面視において孔７１を中心として対称となる誘導通路７２、７４が、賞球として払い出される球を誘導する通路となり、同様に対称となる誘導通路７３、７５が貸し球として払い出される球を誘導する通路となる。なお、誘導通路７２、７３、７４、７５の近傍には、それぞれ球の通過を検出するスイッチ（図示せず）が設けられている。
【００２５】
また、誘導通路部材７０の上面両側部には、図３に示すように、半円形状の凹部がそれぞれ形成され、それらの凹部周縁から下方に、横断面が略円弧形状の球排出通路壁部７６、７７が、それぞれ延設されている。そして、球排出通路壁部７６、７７、本体ケース後部３０、本体ケース前部４０、及び、底板８０に形成された上方突出部８１により、球排出通路１４、１５の下部１４ｂ、１５ｂが形成されて、上述した球排出通路１４、１５の上部１４ａ、１５ａと連接される（図１０、図１１参照）。
【００２６】
また、誘導通路部材７０には、孔７１を中心として環状に傾斜面７８が形成されており、この傾斜面７８は、誘導通路部材７０の中央部から周辺部に向かって緩やかに下降している。
【００２７】
誘導通路部材７０の下には、底板８０が取り付けられる。底板８０には、図３に示すように、上記の上方突出部８１の他、球払出孔８２、８３、８４、８５、及び、球抜き孔８６、８７が設けられている。球払出孔８２、８３、８４、８５は、それぞれ誘導通路７２、７３、７４、７５の下端開口部に連接され、球抜き孔８６、８７は、それぞれ球排出通路１４、１５の下端開口部に連接される。そして、球払出装置１が機構板２に取り付けられたとき、球払出孔８２、８４は、下部通路部材５に設けられた賞球通路の上端開口部に連接され、球払出孔８３、８５は、下部通路部材５に設けられた貸し球通路の上端開口部に連接され、球抜き孔８６、８７は、下部通路部材５に設けられた球抜き通路の上端開口部に連接される。
【００２８】
開閉部材２０は、合成樹脂製であり、図５〜図７に示すように、略矩形状の枠体２１の両側部から、略矩形板状の扉部２２、２２が前方に突出するように形成されている。また、枠体２１の左右方向における中央部分を連結するように、ツマミ部２３が設けられており、ツマミ部２３の両側部から、前方に突出する突出部２４、２４が形成されている。突出部２４、２４は、前部が２つの突片２４ａ、２４ｂに分かれており、前端部には、側方に若干膨出する第１の係止部２５、２５が形成されている。一方、扉部２２、２２には、切り込み部２７、２７が後端から前部にかけて形成され、切り込み部２７、２７の前端部には、側方に若干突出する第２の係止部２６、２６が設けられている。
【００２９】
そして、開閉部材２０は、本体ケース後部３０の下部の両側部に設けられた差込孔３１、３１（図３参照）に扉部２２、２２を差し込むことにより、本体１０に取り付けられる。なお、差込孔３１には、第２の係止部２６、２６に対応する位置に溝部３３、３３が凹設されており（図８、図９参照）、開閉部材２０が本体１０に取り付けられたとき、係止部２６、２６は溝部３３、３３内に摺動可能に配置される。また、溝部３３、３３の後端は壁部３４、３４をなしており、開閉部材２０が本体１０から引き出されたとき、図９に示すように、壁部３４、３４に第２の係止部２６、２６が当接して、開閉部材２０が係止される。
【００３０】
また、本体ケース後部３０には、扉部２２、２２を差込孔３１、３１に差し込んだときに、突出部２４、２４に対向する位置に中央差込孔３２、３２が設けられている（図３参照）。そして、扉部２２、２２を差込孔３１、３１に差し込んだ状態で、開閉部材２０を本体１０に押入すると、突出部２４、２４は互いの距離が僅かに縮むように弾性変形して中央差込孔３２、３２に差込まれ、第１の係止部２５、２５が中央差込孔３２、３２から前方へ突出して、突出部２４、２４の変形が復元し、中央差込孔３２、３２の側方壁部に第１の係止部２５、２５が係止される。そして、第１係止部２５、２５が係止された状態において、扉部２２、２２は、図８に示すように球排出口１７、１８を閉鎖して、収納部１６と球排出通路１４、１５とを区切ることとなる。
【００３１】
上記のように構成されたパチンコ遊技機Ｐの動作について、次に説明する。通常時においては、図８に示すように、第１係止部２５、２５が中央差込孔３２、３２から前方に突出するまで、開閉部材２０を本体１０に押入し、球排出口１７、１８を閉鎖しておく。この閉鎖操作は、手で枠体２１またはツマミ部２３を押すことにより容易に行える。また、上述したように第１の係止部２５、２５は、中央差込孔３２、３２の側方の壁部に係止される。すなわち、第１の係止部２５、２５は、球排出口１７、１８を閉鎖する位置に開閉部材２０を保持するので、払出動作中の振動等により球排出口１７、１８が開いてしまうことはない。
【００３２】
貯留タンク３に供給された球は、自重により誘導レール４に入り、誘導レール４で整列されて、球払出装置１の供給通路１２、１３に誘導される。供給通路１２、１３に誘導された球は、図１０に示すように、収納部１６に入り、収納部１６に入りきらない球は、供給通路１２、１３内に整列して貯留される。なお、供給通路１２、１３内に入りきらない球は誘導レール４内に貯留され、誘導レール４内に入りきらない球は貯留タンク３に貯留される。扉部２２、２２により球排出口１７、１８は閉鎖されているので、収納部１６に入った球は、球排出口１７、１８から排出されてしまうことはない。
【００３３】
ロータ６３には、上述したように複数の凹部６３ａと凸部６３ｂとが設けられており、図１０に示すように、供給通路１３から供給された球が、ある凹部６３ａに受け入れられた場合（図１０の球Ａ参照）には、供給通路１２から供給された球は、その反対側の凸部６３ａの上に載ることとなる（図１０の球Ｂ参照）。なお、凹部６３ａが球を受け入れる位置に配置されたとき、凹部６３ａの位置と誘導通路７２、７３、７４、７５の上方開口部の位置とは一致していないので、凹部６３ａに受け入れられた時点で、球は、誘導通路７２等から出てしまうことなく、誘導通路部材７０の斜面７８と扉部２２とにより支持されて、凹部６３ａ内に保持された状態となる。
【００３４】
ロータ６３は、ステッピングモータ６０により、平面視において、賞球の払出の場合には時計回りに、貸し球の払出の場合には反時計回りに回転する。したがって、供給通路１３から凹部６３ａに受け入れられた球は、ロータ６３の所定角度分の回転により賞球の場合には誘導通路７２（貸し球の場合には誘導通路７５。以下、同様。）の上方開口部まで運ばれて、誘導通路７２へ入る。誘導通路７２における球の通過は、誘導通路７２近傍に設けられたスイッチにより検出され、払出数がカウントされる。
【００３５】
一方、かかるロータ６３の所定角度分の回転により、供給通路１２から供給されて凸部６３ｂの上に載っていた球は、その凸部６３ｂに隣接する凹部６３ａに受け入れられ、ロータ６３の次の所定角度分の回転により、賞球の場合には誘導通路７４（貸し球の場合には誘導通路７３。以下、同様。）の上方開口部まで運ばれて、誘導通路７４へ入る。誘導通路７４における球の通過は、誘導通路７４近傍に設けられたスイッチにより検出され、払出数がカウントされる。
【００３６】
誘導通路７２、７４を通過した球はそれぞれ球払出孔８２、８４（貸し球の場合には球払出孔８３、８５）から出て下部通路部材５に入り、下部通路部材５から遊技機前面側に設けられた球受け皿に排出される。このように、通常時においては、球払出装置１により所定数の賞球または貸し球が払い出される。
【００３７】
一方、球抜き時においては、開閉部材２０のツマミ部２３を摘まんで、突出部２４、２４を互いの距離が縮むように若干押し縮めつつ引くことにより、突出部２４、２４を中央差込孔３２、３２から抜脱し、第２の係止部２６、２６が壁部３４、３４に当接するまで、開閉部材２０を本体１０から引き出す。これにより、図９に示すように、球排出口１７、１８が開放される。この開放操作も、指先でツマミ部２３を摘まんで引くだけで、容易に行える。また、第２の係止部２６、２６が壁部３４、３４に当接することにより、開閉部材２０は本体１０に係止されるので、球排出口１７、１８を開放する位置において開閉部材２０が本体１０から脱落することを防止することができる。
【００３８】
このように球排出口１７、１８を開放すると、供給通路１２、１３に貯留されていた球は、図１１に示すように、球排出口１７、１８を通って、球排出通路１４、１５を通過し、球抜き孔８６、８７から排出される。なお、凹部６３ａに受け入れられていた球は、斜面７８に沿って転動し、球排出口１７、１８を通って同様に排出され、凸部６３ｂ上に載っていた球は、凸部６３ｂ上面に形成された斜面に沿って転動し、球排出口１７、１８を通って同様に排出される。したがって、ロータ６３に保持されていた球も含め、球排出口１７、１８を開放することにより、球払出装置１内に貯留されていた球は、球排出口１７、１８を通ってすべて排出されることとなる。
【００３９】
球抜き孔８６、８７から排出された球は、下部通路部材５内に設けられた球抜き通路（図示せず）、及び、溢れ球通路ユニット７内に設けられた球抜き通路（図示せず）を経て、溢れ球通路ユニット７の下端部に設けられた球抜き孔（図示せず）から機外へ排出される。
【００４０】
なお、パチンコ遊技機Ｐは、貯留タンク３から球払出装置１まで、自重により球が移動するように構成されているので、球排出口１７、１８を開放することにより、球払出装置１内部及び球払出装置１の上流側に貯留されている球は、球排出口１７、１８を通ってすべて排出されることとなる。
【００４１】
以上述べたように、球払出装置１、及び、球払出装置１を用いたパチンコ遊技機Ｐによれば、払出部材であるロータ６３を駆動させることなく、手動で球排出口１７、１８を開放するだけで球を排出できるので、球抜き作業が容易となり、また、電気エネルギーを必要としないので、省エネルギー化に貢献できる。また、球抜きを制御するための電気回路が不要で、構造がシンプルであるため、故障が発生しにくく、低コストで製造可能である。
【００４２】
また、開閉部材２０を引き出すだけで、球排出口１７、１８を開放することができるので、ワンタッチ操作で球の排出が可能であり、球抜き作業が非常に容易である。
【００４３】
また、第１の係止部２５、２５により、球排出口１７、１８を閉鎖する位置に開閉部材２０が保持されるので、払出動作中の振動等により開閉部材２０が開いてしまうことがなく、球排出口１７、１８の閉鎖状態を保持することができる。
【００４４】
さらに、開閉部材２０を引き出して球排出口１７、１８を開放したとき、第２の係止部２６、２６により、開閉部材２０が本体１０から脱落することを防止することができる。そして、開閉部材２０を手で開放位置に保持しておく必要がないので、球抜き作業を楽に行うことができる。
【００４５】
なお、上記実施形態では、開閉部材２０を、扉部２２、２２がスライド式に移動して球排出口１７、１８を開閉する構造としたが、例えば、扉部２２、２２が左右に開くことにより開閉する構造としてもよく、要するに、開閉部材２０は手動により球排出口１７、１８を開閉可能なものであればよい。開閉部材２０以外の他の部分の構造についても、適宜変更可能である。
【００４６】
また、上記実施形態では本発明をパチンコ遊技機に適用したが、本発明は球払出及び球抜きの必要な種々の遊技機に適用可能である。
【００４７】
すなわち、特許請求の範囲を逸脱しない範囲で、本発明は種々の構成を採り得る。
【００４８】
【発明の効果】
本発明によれば、貯留されている球を、払出部材を駆動させることなく、手動で容易に抜くことができる。
【図面の簡単な説明】
【図１】本発明の一実施形態に係るパチンコ遊技機の背面図である。
【図２】図１のパチンコ遊技機に用いられている球払出装置の斜視図である。
【図３】図２の球払出装置の分解斜視図である（但し、スイッチ類等を除く）。
【図４】図２の球払出装置の中板及び本体ケース前部を取り去った状態の斜視図である（但し、スイッチ類等を除く）。
【図５】図２の球払出装置に用いられている開閉部材の斜視図である。
【図６】（ａ）は図５の開閉部材の右側面図、（ｂ）は図５の開閉部材の背面図、（ｃ）は図５の開閉部材の左側面図である。
【図７】図５の開閉部材の平面図である。
【図８】球排出口を閉鎖した状態を説明するための図であり、本体ケース前部及び後部は横断面図で、開閉部材は平面図で表している。
【図９】球排出口を開放した状態を説明するための図であり、本体ケース前部及び後部は横断面図で、開閉部材は平面図で表している。
【図１０】球排出口を閉鎖した状態での球の流れを説明するための図である。
【図１１】球排出口を開放した状態での球の流れを説明するための図である。
【符号の説明】
１…球払出装置
１０…本体
１２、１３…供給通路
１６…収納部
１７、１８…球排出口
２０…開閉部材
２５…第１の係止部
２６…第２の係止部
６０…ステッピングモータ（駆動手段）
６１…シャフト
６３…ロータ（払出部材）
７２、７３、７４、７５…誘導通路
Ｐ…パチンコ遊技機
【図１】
2004147680.tif 000003
【図２】
2004147680.tif 000004
【図３】
2004147680.tif 000005
【図４】
2004147680.tif 000006
【図５】
2004147680.tif 000007
【図６】
2004147680.tif 000008
【図７】
2004147680.tif 000009
【図８】
2004147680.tif 000010
【図９】
2004147680.tif 000011
【図１０】
2004147680.tif 000012
【図１１】
2004147680.tif 000013